(57)【要約】      （修正有）【課題】簡便な方法にて、ユーザの保持する携帯端末に必要な情報提供を行うことができる情報提供システムを提供する。【解決手段】情報提供システム１は、所定の広さを有する領域である第一種領域ごとに異なる識別信号Ａを、当該第一種領域内に存する携帯端末２０に供給する供給手段１０と、携帯端末２０に設けられて、識別信号Ａを受信する信号受信手段３０と、携帯端末２０設けられて、無線通信回線Ｌを利用してサーバ７０との間で情報の授受を行う情報授受手段４０と、携帯端末２０に設けられて、情報授受手段４０が受信した情報のうち、信号受信手段３０が受信した識別信号Ａに対応する第一種領域に関連する情報をユーザに提供する提供手段５０と、を備える。【選択図】図２
2015090698.tif 000002
【特許請求の範囲】
【請求項１】
所定の広さを有する領域である第一種領域ごとに異なる識別信号を、当該第一種領域内に存する携帯端末に供給する供給手段と、
前記携帯端末に設けられて、前記識別信号を受信する信号受信手段と、
前記携帯端末に設けられて、無線通信回線を利用してサーバとの間で情報の授受を行う情報授受手段と、
前記携帯端末に設けられて、前記情報授受手段が受信した情報のうち、前記信号受信手段が受信した前記識別信号に対応する前記第一種領域に関連する情報をユーザに提供する提供手段と、
を備える情報提供システム。
【請求項２】
前記第一種領域は、前記携帯端末の位置を特定するための位置特定信号が特定する第二種領域と比して広い請求項１に記載の情報提供システム。
【請求項３】
前記供給手段は、前記第一種領域ごとに配置されている照明器具に組み込まれる請求項１又は請求項２に記載の情報提供システム。
【発明の詳細な説明】
【技術分野】
【０００１】  本発明は、ユーザに情報を提供できる情報提供システムに関し、特に、地下街等の商用施設を利用するユーザに対し情報を提供できる情報提供システムに関する。
【背景技術】
【０００２】  地下街等の商用施設において、ユーザの保有する携帯端末に、無線通信回線を介して店舗等の情報を提供する情報提供システムが知られている。【０００３】  例えば、特許文献１に開示される情報提供システムでは、予め、ユーザが希望する商品を検索及び入力するとされている。そして、この情報提供システムでは、当該ユーザが希望する商品の位置情報や、詳細情報を、携帯端末に提供するとされている。
【先行技術文献】
【特許文献】
【０００４】
【特許文献１】  特開２０１２−３８２７０号公報
【発明の概要】
【発明が解決しようとする課題】
【０００５】  しかしながら、特許文献１に開示される情報提供システムは、商用施設において、予めユーザが希望する商品を特定しない場合に対応できない。ここで、ユーザは、通勤途上で通行する駅地下街等の商用施設において、特に希望する商品等を特定することなく、興味を引く商品等があれば店舗等に立ち寄るという行動をとることが多い。そのため、ユーザが予め希望する商品を選択する必要がある特許文献１に開示される情報提供システムでは、ユーザへの十分な情報の提供が困難である。【０００６】  本発明は、上記のような問題点に鑑みなされたものであり、簡便な方法にて、ユーザの保持する携帯端末に十分な情報提供を行うことができる情報提供システムを提供することを目的とする。
【課題を解決するための手段】
【０００７】  上記目的を達成するために、本発明の情報提供システムは、所定の広さを有する領域である第一種領域ごとに異なる識別信号を、当該第一種領域内に存する携帯端末に供給する供給手段と、前記携帯端末に設けられて、前記識別信号を受信する信号受信手段と、前記携帯端末に設けられて、無線通信回線を利用してサーバとの間で情報の授受を行う情報授受手段と、前記携帯端末に設けられて、前記情報授受手段が受信した情報のうち、前記信号受信手段が受信した前記識別信号に対応する前記第一種領域に関連する情報をユーザに提供する提供手段と、を備えることを特徴とする。【０００８】  本情報提供システムは、供給手段が所定の広さを有する領域である第一種領域ごとに異なる識別信号を供給し、携帯端末の信号受信手段が受信する。そして、本情報供給システムでは、提供手段が、無線通信回線を利用して携帯端末の情報授受手段がサーバより受信した情報のうち、当該識別信号に対応する第一種領域に関連する情報をユーザに提供する。これにより、本情報提供システムでは、当該第一種領域内の店舗、イベント、地図、及び商品等の情報を、自動的にユーザに提供できる。即ち、本情報提供システムでは、希望する店舗、商品等の選択をユーザに要求しなくとも、十分な情報提供をできるので、ユーザの満足度を向上できると共に、情報提供側にとっても効率的な情報の提供を実現できる。【０００９】  この情報提供システムにおいて、前記第一種領域は、前記携帯端末の位置を特定するための位置特定信号が特定する第二種領域と比して広くてもよい。【００１０】  この情報提供システムにおいて、前記供給手段は、前記第一種領域ごとに配置されている照明器具に組み込まれてもよい。
【発明の効果】
【００１１】  本発明によれば、簡便な方法にて、ユーザの保持する携帯端末に十分な情報提供を行うことができる情報提供システムを提供することができる。
【図面の簡単な説明】
【００１２】
【図１】  本実施の形態に係る情報提供システムにおける領域の区画例を示す説明図。
【図２】  情報提供システムの構成を示すブロック図。
【図３】  情報提供システムの動作を説明するフローチャート。
【図４】  情報提供システムの動作例を示す説明図。
【図５】  情報提供システムの動作例を示す説明図。
【発明を実施するための形態】
【００１３】  以下、本発明を適用した実施の形態について図面を参照して説明する。ただし、本発明は以下の実施の形態に限定されるものではない。すなわち、以下の実施の形態で説明するすべての構成が本発明にとって必須であるとは限らない。又、本発明は、以下の内容を自由に組み合わせたもの、又、本発明の趣旨を逸脱しない範囲で変更を加えたものを含む。
【００１４】  （１）情報提供システム１の構成
以下、本実施の形態に係る情報提供システム１の構成について説明する。情報提供システム１は、図１、及び図２に示すように、第一種領域２（領域ＡＸ〜領域ＣＺ）ごとに異なる識別信号Ａを、当該第一種領域２内に存する携帯端末２０に供給する供給手段１０を備える。又、情報提供システム１は、携帯端末２０に設けられて識別信号Ａを受信する信号受信手段３０と、同じく携帯端末２０に設けられて無線通信回線Ｌを利用して情報を授受する情報授受手段４０とを備える。更に、情報提供システム１は、携帯端末２０に設けられて、情報授受手段４０が受信した情報を、図示しないユーザに情報を提供する提供手段５０を備える。
【００１５】  その他、情報提供システム１は、携帯端末２０に設けられて当該携帯端末２０の位置を特定するための位置特定信号Ｂを受信する位置特定手段６０等を備える。
【００１６】  供給手段１０は、図１に示すように、第一種領域２（本実施の形態では、全領域を９個に区画した領域ＡＸ〜領域ＣＺの夫々が第一種領域２である。）ごとに設けられる。この供給手段１０は、第一種領域２ごとに定まる識別信号Ａを発信する。即ち、領域ＡＸ、領域ＢＸ、・・・・・・領域ＢＺ、領域ＣＺの夫々に配置される供給手段１０は、配置されている第一種領域２に対応する識別信号Ａを発信する。
【００１７】  ここで、供給手段１０が発信する識別信号Ａは、ビーコンであってよい。又、供給手段１０は、同一の識別信号Ａを配信するようにすることを条件に、１つの第一種領域２内に複数設けるようにしてよい。更に、供給手段１０は、第一種領域２ごとに配置されている図示しない照明器具に組み込むようにしてよい。
【００１８】  携帯端末２０は、図２に示すように、制御部２１、メモリ２２、信号受信手段３０、情報授受手段４０、提供手段５０、及び位置特定手段６０等を備える。携帯端末２０では、メモリ２２に予め記憶されているプログラムに基づき、制御部２１が、信号受信手段３０、情報授受手段４０、提供手段５０、及び位置特定手段６０等の動作を制御する。
【００１９】  尚、制御部２１、メモリ２２、信号受信手段３０、情報授受手段４０、提供手段５０、及び位置特定手段６０等は、一般的なスマートフォンや、タブレット端末等が備える構成である。故に、携帯端末２０は、専用のものを用意する必要性はなく、ユーザが保有するスマートフォンや、タブレット端末等を利用して構成できる。
【００２０】  信号受信手段３０は、供給手段１０からの識別信号Ａを受信する。情報授受手段４０は、無線通信回線Ｌを利用してサーバ７０との間で情報の授受を行う。この情報授受手段４０が受信する情報とは、各第一種領域２内の店舗情報、イベント情報、地図情報、及び商品情報等である。提供手段５０は、所謂表示画面である。この提供手段５０は、タッチパネル機能を有しており、ユーザからの入力を受け付けることもできる。
【００２１】  位置特定手段６０は、携帯端末２０の位置を特定するための位置特定信号Ｂを受信する。この位置特定信号Ｂは、ＧＰＳ信号であってよい。又、位置特定信号Ｂにより特定される第二種領域３の広さは、第一種領域２と比べて狭い（例えば、図１に示すように、第一種領域２である領域ＣＸを９個に区画した領域Ｃ１Ｘ１〜Ｃ３Ｘ３の夫々が、第二種領域３である。）。
【００２２】  （２）情報提供システム１の動作
情報提供システム１の動作は、まず、携帯端末２０の信号受信手段３０が、供給手段１０からの識別信号Ａを受信する（図３におけるＳ３１）。例えば、図４（Ａ）に示すように、携帯端末２０が第一種領域２たる領域ＣＸに侵入したとき、信号受信手段３０は、領域ＣＸに設けられる供給手段１０より発信され、当該領域ＣＸに対応する識別信号Ａを受信する。
【００２３】  続いて、情報提供システム１では、携帯端末２０の制御部２１が、メモリ２２に予め記億されているプログラムに従い、情報授受手段４０の動作状態を確認する（Ｓ３２）。制御部２１は、情報授受手段４０が動作中であることを確認した場合（Ｓ３２でＹＥＳ）、Ｓ３５へと進む。一方、制御部２１は、情報授受手段４０が非動作中であることを確認した場合（Ｓ３２でＮＯ）、Ｓ３３へと進む。
【００２４】  続いて、情報提供システム１は、制御部２１が、前記プログラムに従い、提供手段５０を介して情報授受手段４０を動作状態へ切り替えるか否かをユーザに問合わせる（Ｓ３３）。これにより、ユーザは、提供手段５０のタッチパネル機能等を利用して、情報授受手段４０を動作状態に切り替えるか否かを選択できる。制御部２１は、ユーザが情報授受手段４０の動作状態への切り替えを選択した場合（Ｓ３３でＹＥＳ）、Ｓ３４へと進む。一方、制御部２１は、ユーザが情報授受手段４０の非動作状態の維持を選択した場合（Ｓ３３でＮＯ）、本情報提供システム１に基づく情報の提供を行わず、処理を終了する。
【００２５】  続いて、情報提供システム１は、制御部２１が、前記プログラムに従い、情報授受手段４０を動作状態に切替える（Ｓ３４）。
【００２６】  続いて、情報提供システム１は、制御部２１が、前記プログラムに従い、無線通信回線Ｌを利用して、サーバ７０から情報授受手段４０が受信した情報のうち、信号受信手段３０が受信した識別信号Ａに対応する第一種領域２内の店舗、イベント、地図、及び商品等の情報を抽出する。そして、制御部２１は、提供手段５０を介して当該抽出した情報をユーザに提供する（Ｓ３５）。例えば、携帯端末２０が、第一種領域２たる領域ＣＸに位置する場合において（図４（Ａ））、制御部２１は、提供手段５０を介して、領域ＣＸ内の店舗、イベント、地図、及び商品等の情報をユーザに提供する（同図（Ｂ））。
【００２７】  ここで、情報提供システム１では、Ｓ３５において、制御部２１が、ユーザによる携帯端末２０の操作を許容する。例えば、制御部２１は、ユーザが提供手段５０のタッチパネル機能を利用して入力した指示に基づき、信号受信手段３０が受信した識別信号Ａに対応する第一種領域２内の店舗、イベント、地図、及び商品等のより詳細な情報を、当該提供手段５０を介してユーザに提供する。この場合において、制御部２１は、位置特定手段６０が受信する位置特定信号Ｂにより携帯端末２０の存する第二種領域３を特定し、提供手段５０介してユーザに提供する地図情報上に当該特定した第二種領域３を表示してもよい。
【００２８】  続いて、情報提供システム１は、制御部２１が、前記プログラムに従い、信号受信手段３０が受信している供給手段１０からの識別信号Ａが変化しているか否かを確認する（Ｓ３６）。制御部２１は、信号受信手段３０が受信している識別信号Ａが変化していることを確認した場合（Ｓ３６でＹＥＳ）、Ｓ３７へと進む。一方、制御部２１は、信号受信手段３０が受信している識別信号Ａが変化していないことを確認した場合（Ｓ３６でＮＯ）、待機して、Ｓ３５（又はＳ３７）にて行っているユーザへの情報の提供を継続する。
【００２９】  例えば、携帯端末２０が、図４（Ａ）に示すように第一種領域２たる領域ＣＸに位置した状態から移動して、図５（Ａ）に示すように同じく第一種領域２たる領域ＣＹへと移動した場合、信号受信手段３０は、領域ＣＹに設けられる供給手段１０より発信され、当該領域ＣＹに対応する識別信号Ａを受信することになる。従って、この場合において、制御部２１は、信号受信手段３０が受信している識別信号Ａが変化していると判断して（Ｓ３６でＹＥＳ）、Ｓ３７へと進むこととなる。
【００３０】  続いて、情報提供システム１では、制御部２１が、前記プログラムに従い、情報授受手段４０が受信した情報のうち、信号受信手段３０が受信しており、従前と比して変化した識別信号Ａに対応する第一種領域２内の店舗、イベント、及び商品等の情報を抽出する。そして、制御部２１は、提供手段５０を介して当該抽出した情報をユーザに提供する（Ｓ３７）。例えば、携帯端末２０が、第一種領域２たる領域ＣＹに位置する場合において（図５（Ａ））、制御部２１は、提供手段５０を介して、領域ＣＹ内の店舗、イベント、地図、及び商品等の情報をユーザに提供する（同図（Ｂ））。
【００３１】  この際、情報提供システム１では、Ｓ３５における場合と同様に、制御部２１が、ユーザによる携帯端末２０の操作を許容する。
【００３２】  続いて、情報提供システム１では、制御部２１が、前記プログラムに従い、ユーザが本情報提供システム１に基づく情報の提供の終了を希望しているか否かを受け付ける（Ｓ３８）。これは、制御部２１が、提供手段５０のタッチパネル機能を利用して、ユーザからの入力を受け付けることにより行ってよい。制御部２１は、ユーザが本情報提供システム１に基づく情報の提供の終了を希望している場合（Ｓ３８でＹＥＳ）、当該情報の提供を終了する。一方、制御部２１は、ユーザが本情報提供システム１に基づく情報の提供の継続を希望している場合（Ｓ３８でＮＯ）、Ｓ３７にて行っているユーザへの情報の提供を継続しつつ、Ｓ３６に戻る。
【００３３】  （３）作用効果
以下、本実施の形態における情報提供システム１が奏する作用効果について説明する。
【００３４】  情報提供システム１は、供給手段１０が所定の広さを有する領域である第一種領域２ごとに異なる識別信号Ａを携帯端末２０に対し供給する。そして、携帯端末２０に設けられる信号受信手段３０が、識別信号Ａを受信する。その後、携帯端末２０の提供手段５０は、無線通信回線Ｌを利用して携帯端末２０の情報授受手段４０がサーバ７０から受信した情報のうち、信号受信手段３０が受信した識別信号Ａに対応する第一種領域２内の店舗、イベント、地図、及び商品等の情報をユーザに提供する。
【００３５】  これにより、情報提供システム１では、携帯端末２０が存する第一種領域２内の店舗、イベント、地図、及び商品等の情報を、自動的にユーザに提供できる。即ち、情報提供システム１では、希望する店舗、商品等の選択をユーザに要求しなくとも、十分な情報提供をできるので、ユーザの満足度を向上できる。併せて、情報提供システム１では、店舗等の情報提供を行う側にとっても効率的な情報の提供を実現できる。
【００３６】  又、情報提供システム１では、第一種領域２が、携帯端末２０の位置を特定するための位置特定信号Ｂが特定する第二種領域３と比べて広い。そして、第一種領域２は、このことを条件として、任意に広さ、形状等に設定することができる。これにより、情報提供システム１では、情報提供の対象となる店舗等が存する商用施設等に最適な第一種領域２を設定して、情報の提供ができるので、ユーザの利便性を一層高めることができ、又、情報提供を行う側にとっても一層効率的な情報の提供を実現できる。
【００３７】  又、情報提供システム１では、供給手段１０を、第一種領域２ごとに配置されている図示しない照明器具に組み込むことができる。情報提供システム１の対象となる地下街等の商用施設では、照明器具が多数使用されている。従って、供給手段１０を照明器具に組み込むことにより、情報提供システム１では、供給手段１０の設置コストの削減等を図ることができる。
【００３８】  又、情報提供システム１では、携帯端末２０において非動作状態にある情報授受手段４０の動作状態への切り替えを、制御部２１が提供手段５０を介してユーザに問合わせる。ここで、情報授受手段４０は一般的に消費電力が大きいため、非動作としているユーザが多数存在する。そのため、情報提供システム１は、ユーザの任意に情報授受手段４０を動作状態として情報の提供を行うことができ、ひいては当該ユーザの利便性を一層向上できる。
【符号の説明】
【００３９】１…情報提供システム、  ２…第一種領域、  ３…第二種領域、  １０…供給手段、  ２０…携帯端末、  ２１…制御部、  ２２…メモリ、  ３０…信号受信手段、  ４０…情報授受手段、  ５０…提供手段、  ６０…位置特定手段、  ７０…サーバ、  Ａ…識別信号、  Ｂ…位置特定信号、  Ｌ…無線通信回線
【図１】
2015090698.tif 000003
【図２】
2015090698.tif 000004
【図３】
2015090698.tif 000005
【図４】
2015090698.tif 000006
【図５】
2015090698.tif 000007